(57)【要約】【課題】シートに印刷された静止画の一部を変化させることができるページ構造を有することにより、静止画の一部を変化させて観賞可能であり、製造コストを抑えつつ興趣性を向上させた書籍を提供する。【解決手段】  第１静止画が第１面に印刷された第１シートと、第２静止画が第１面に印刷された第２シートと、を有し、第１静止画及び第２静止画は、大きさ及び姿勢が互いに共通する同一の対象を含み、かつ、第２静止画の前記対象は、第１静止画の前記対象と異なる部分を有し、第１シート及び第２シートは、第１シートの第１面側に第２シートの第２面が配されて、第１静止画の対象の位置と、第２静止画の対象の位置とが一致するように綴じられており、第２シートには、異なる部分に対応して第２静止画を分割する位置が示され、又は、異なる部分に対応して第２静止画を分割する切り込みを有する。【選択図】  図８
2011224898.tif 000002
【特許請求の範囲】
【請求項１】
第１静止画が第１面に印刷された第１シートと、
第２静止画が第１面に印刷された第２シートと、を有する書籍であって、
前記第１静止画及び前記第２静止画は、大きさ及び姿勢が互いに共通する同一の対象を含み、かつ、前記第２静止画の前記対象は、前記第１静止画の前記対象と異なる部分を有し、
前記第１シート及び前記第２シートは、前記第１シートの前記第１面側に前記第２シートの第２面が配されて、前記第１静止画の前記対象の位置と、前記第２静止画の前記対象の位置とが一致するように綴じられており、
前記第２シートには、前記異なる部分に対応して前記第２静止画を分割する位置が示されていること、又は、前記異なる部分に対応して前記第２静止画を分割する切り込みを有すること
を特徴とする書籍。
【請求項２】
前記第１静止画及び前記第２静止画は、それぞれの前記対象を人物の全身とする内容であって、
前記異なる部分は、前記人物の上半身の着衣状態及び／又は下半身の着衣状態であり、
前記第２静止画を分割するための前記位置又は前記切り込みは、前記人物の腰の位置に沿って設けられていることを特徴とする請求項１に記載の書籍。
【請求項３】
前記第１静止画及び前記第２静止画は、それぞれの前記対象を人物の上半身とする内容であって、
前記異なる部分は、前記人物の上半身の着衣状態、腕のポーズ、髪型、顔の表情、アクセサリーの装着状態のうちの１以上を含み、
前記第２静止画を分割する前記位置又は前記切り込みは、前記人物の首の位置に沿って設けられていることを特徴とする請求項１に記載の書籍。
【請求項４】
前記第１静止画及び前記第２静止画は、それぞれの前記対象を人物の頭部とする内容であって、
前記異なる部分は、前記人物の髪型、口及び目の表情、アクセサリーの装着状態のうちの１以上を含み、
前記第２静止画を分割する前記位置又は前記切り込みは、前記人物の鼻の位置に沿って設けられていることを特徴とする請求項１に記載の書籍。
【請求項５】
前記書籍は、第３静止画が第１面に印刷された第３シートを有し、
前記第３静止画は、前記第１静止画及び前記第２静止画の前記対象と同一で大きさ及び姿勢が互いに共通する対象を含み、かつ、前記第３静止画の前記対象は、前記第１静止画の前記対象及び前記第２静止画の前記対象と異なる部分を有し、
前記第３シートは、前記第２シートの前記第１面側に前記第３シートの第２面が配されて、前記第３静止画の前記対象の前記第３シートにおける位置が、前記第２静止画の前記対象の前記第２シートにおける位置と一致するように綴じられており、
前記第３シートには、前記第２シートの前記線と同じ位置に、前記第３静止画を分割する位置が示されていること、又は、前記第３静止画を分割する切り込みを有すること
を特徴とする請求項１乃至請求項４のうち、いずれか１に記載の書籍。
【請求項６】
第１静止画が第１面に印刷された第１シートと、
第２静止画が第１面、第３静止画が第２面にそれぞれ印刷された第２シートと、
第４静止画が第２面に印刷された第３シートと、を有する書籍であって、
前記第１静止画及び前記第２静止画は、大きさ及び姿勢が互いに共通する同一の対象を含み、かつ、前記第２静止画の前記対象は、前記第１静止画の前記対象と異なる部分を有し、
前記第３静止画及び前記第４静止画は、大きさ及び姿勢が互いに共通する同一の対象を含み、かつ、前記第３静止画の前記対象は、前記第４静止画の前記対象と異なる部分を有し、
前記第１シート、前記第２シート、及び前記第３シートは、前記第１シートの前記第１面側に前記第２シートの第２面が配され、前記第２シートの前記第１面側に前記第３シートの第２面が配されて、前記第１静止画の前記対象の位置と前記第２静止画の前記対象の位置とが一致し、かつ、前記第３静止画の前記対象の位置と前記第４静止画の前記対象の位置とが一致するように綴じられており、
前記第２シートには、前記第２静止画の前記異なる部分及び前記第３静止画の前記異なる部分に対応して前記第２静止画及び前記第３静止画を分割する位置が示されていること、又は、前記第２静止画の前記異なる部分及び前記第３静止画の前記異なる部分に対応して前記第２静止画及び前記第３静止画を分割する切り込みを有すること
を特徴とする書籍。
【請求項７】
第１静止画が第１面に印刷された第１シートと、
第２静止画が第１面、第３静止画が第２面にそれぞれ印刷された第２シートと、
第４静止画が第１面、第５静止画が第２面にそれぞれ印刷された第３シートと、
第６静止画が第２面に印刷された第４シートと、を有する書籍であって、
前記第１静止画と前記第２静止画と前記第４静止画とは、大きさ及び姿勢が互いに共通する同一の対象を含み、かつ、前記第２静止画の前記対象及び前記第４静止画の前記対象、前記第１静止画の前記対象と異なる部分をそれぞれ有し、
前記第３静止画と前記第５静止画と前記第６静止画とは、大きさ及び姿勢が互いに共通する同一の対象を含み、かつ、前記第３静止画の前記対象及び前記第５静止画の前記対象は、前記第６静止画の前記対象と異なる部分をそれぞれ有し、
前記第１シート、前記第２シート、前記第３シート、及び前記第４シートは、前記第１シートの前記第１面側に前記第２シートの第２面が配され、前記第２シートの前記第１面側に前記第３シートの第２面が配され、前記第３シートの前記第１面側に前記第４シートの第２面が配されて、前記第１静止画の前記対象の位置と、前記第２静止画の前記対象の位置と、前記第４静止画の前記対象の位置とが一致し、かつ、前記第３静止画の前記対象の位置と、前記第５静止画の前記対象の位置と、前記第６静止画の前記対象の位置とが一致するように綴じられており、
前記第２シートには、前記第２静止画の前記異なる部分及び前記第４静止画の前記異なる部分に対応して、前記第２静止画及び前記第３静止画を分割する位置が示されていること、
前記第３シートには、前記第２静止画及び前記第３静止画を分割する前記位置と同じ位置に、前記第４静止画の前記異なる部分及び前記第５静止画の前記異なる部分に対応して、前記第４静止画及び前記第５静止画を分割する位置が示されていること、又は、前記第４静止画及び前記第５静止画を分割する切り込みを有すること
を特徴とする書籍。
【請求項８】
第１静止画が第１面、第３静止画が第２面にそれぞれ印刷された第１シートと、
第２静止画が第１面に印刷された第２シートと、
第４静止画が第２面に印刷された第３シートと、を有する書籍であって、
前記第１静止画及び前記第２静止画は、大きさ及び姿勢が互いに共通する同一の対象を含み、かつ、前記第２静止画の前記対象は、前記第１静止画の前記対象と異なる部分を有し、
前記第３静止画及び前記第４静止画は、大きさ及び姿勢が互いに共通する同一の対象を含み、かつ、前記第４静止画の前記対象は、前記第３静止画の前記対象と異なる部分を有し、
前記第１シート、前記第２シート、及び前記第３シートは、前記第１シートの前記第１面側に前記第２シートの第２面が配され、前記第１シートの前記第２面側に前記第３シートの第１面が配されて、前記第１静止画の前記対象の位置と前記第２静止画の前記対象の位置とが一致し、かつ、前記第３静止画の前記対象の位置と前記第４静止画の前記対象の位置が一致するように綴じられており、
前記第２シートには、前記第２静止画の前記異なる部分に対応して、前記第２静止画を分割する位置の表示、又は、前記第２静止画を分割する切り込みが設けられおり、
前記第３シートには、前記第４静止画の前記異なる部分に対応して、前記第４静止画を分割する位置の表示、又は、前記第４静止画を分割する切り込みが設けられおり、
前記第２シートに設けられた前記位置の表示又は前記切り込みとは別の位置に、前記第３シートの前記位置の表示又は前記切り込みが設けられていること
を特徴とする書籍。
【発明の詳細な説明】
【技術分野】
【０００１】
本発明は、書籍に関し、特に、印刷されている複数の静止画を任意に組み合わせて観賞可能な書籍に関する。
【背景技術】
【０００２】
従来より、雑誌、写真集、漫画、絵本などのように、静止画が印刷された書籍が数多く出版されているが、このような従来の書籍には、一般的に、１ページごとに異なる１以上の静止画が印刷されている。従って、このような書籍を見る者は、印刷されている状態のまま、ページの全体を順次めくって、前記静止画を順番に観賞して楽しむ以外の観賞はできないものであった。そこで、本発明者らは、静止画が印刷された書籍を見る者に対し、静止画の観賞に際して興趣性を向上させた書籍を提供することを模索していた。
【０００３】
静止画が印刷された書籍であって、印刷されている静止画を分割するページ構造とされているものとして、例えば、特許文献１に示すような絵本がある。特許文献１の図１のように、見開き全体として１つの静止画（絵柄８）が中央で分割されて、片側ずつページ（紙葉５Ａ、５Ｂ）をめくって観賞できるものがある。
【先行技術文献】
【特許文献】
【０００４】
【特許文献１】特開平８−２９９６１２
【発明の概要】
【発明が解決しようとする課題】
【０００５】
しかしながら、特許文献１の絵本では、その図１や図３のようなページでは全体で一つの静止画として成立しているものの、その図２のような状態では、静止画の絵柄（符号１１（Ｂ）と１２（Ｃ）参照）が全く整合しておらず、全体として連続的な絵柄とならない。よって、同じ対象に関する静止画が変化する様に見えるという、視覚的効果を全く有していないため興趣性に欠ける。
【０００６】
そこで、本発明は、シートに印刷された静止画の一部を変化させることができるページ構造を有することにより、印刷されている複数の静止画を任意に組み合わせて観賞可能な興趣性を向上させた書籍を提供することを目的とする。
【課題を解決するための手段】
【０００７】
上記課題を解決するための本発明の請求項１に記載の書籍は、第１静止画が第１面に印刷された第１シートと、第２静止画が第１面に印刷された第２シートと、を有する書籍であって、前記第１静止画及び前記第２静止画は、大きさ及び姿勢が互いに共通する同一の対象を含み、かつ、前記第２静止画の前記対象は、前記第１静止画の前記対象と異なる部分を有し、前記第１シート及び前記第２シートは、前記第１シートの前記第１面側に前記第２シートの第２面が配されて、前記第１静止画の前記対象の位置と、前記第２静止画の前記対象の位置とが一致するように綴じられており、前記第２シートには、前記異なる部分に対応して前記第２静止画を分割する位置が示されていること、又は、前記異なる部分に対応して前記第２静止画を分割する切り込みを有することを特徴とする。
【０００８】
また、本発明による請求項１に記載の書籍において、前記第１静止画及び前記第２静止画は、それぞれの前記対象を人物の全身とする内容であって、前記異なる部分は、前記人物の上半身の着衣状態及び／又は下半身の着衣状態であり、前記第２静止画を分割するための前記位置又は前記切り込みは、前記人物の腰の位置に沿って設けられていることを特徴とする。
【０００９】
また、本発明による請求項１に記載の書籍において、前記第１静止画及び前記第２静止画は、それぞれの前記対象を人物の上半身とする内容であって、前記異なる部分は、前記人物の上半身の着衣状態、腕のポーズ、髪型、顔の表情、アクセサリーの装着状態のうちの１以上を含み、前記第２静止画を分割する前記位置又は前記切り込みは、前記人物の首の位置に沿って設けられていることを特徴とする。
【００１０】
また、本発明による請求項１に記載の書籍において、前記第１静止画及び前記第２静止画は、それぞれの前記対象を人物の頭部とする内容であって、前記異なる部分は、前記人物の髪型、口及び目の表情、アクセサリーの装着状態のうちの１以上を含み、前記第２静止画を分割する前記位置又は前記切り込みは、前記人物の鼻の位置に沿って設けられていることを特徴とする。
【００１１】
また、本発明による請求項５に記載の書籍は、請求項１乃至請求項４のいずれか１に記載の書籍であって、第３静止画が第１面に印刷された第３シートを有し、前記第３静止画は、前記第１静止画及び前記第２静止画の前記対象と同一で大きさ及び姿勢が互いに共通する対象を含み、かつ、前記第３静止画の前記対象は、前記第１静止画の前記対象及び前記第２静止画の前記対象と異なる部分を有し、前記第３シートは、前記第２シートの前記第１面側に前記第３シートの第２面が配されて、前記第３静止画の前記対象の前記第３シートにおける位置が、前記第２静止画の前記対象の前記第２シートにおける位置と一致するように綴じられており、前記第３シートには、前記第２シートの前記線と同じ位置に、前記第３静止画を分割する位置が示されていること、又は、前記第３静止画を分割する切り込みを有することを特徴とする。なお、請求項５における前記第３静止画は、図１の第４静止画３６に相当するものである。
【００１２】
また、本発明による請求項６に記載の書籍は、第１静止画が第１面に印刷された第１シートと、第２静止画が第１面、第３静止画が第２面にそれぞれ印刷された第２シートと、第４静止画が第２面に印刷された第３シートと、を有する書籍であって、前記第１静止画及び前記第２静止画は、大きさ及び姿勢が互いに共通する同一の対象を含み、かつ、前記第２静止画の前記対象は、前記第１静止画の前記対象と異なる部分を有し、前記第３静止画及び前記第４静止画は、大きさ及び姿勢が互いに共通する同一の対象を含み、かつ、前記第３静止画の前記対象は、前記第４静止画の前記対象と異なる部分を有し、前記第１シート、前記第２シート、及び前記第３シートは、前記第１シートの前記第１面側に前記第２シートの第２面が配され、前記第２シートの前記第１面側に前記第３シートの第２面が配されて、前記第１静止画の前記対象の位置と前記第２静止画の前記対象の位置とが一致し、かつ、前記第３静止画の前記対象の位置と前記第４静止画の前記対象の位置とが一致するように綴じられており、前記第２シートには、前記第２静止画の前記異なる部分及び前記第３静止画の前記異なる部分に対応して前記第２静止画及び前記第３静止画を分割する位置が示されていること、又は、前記第２静止画の前記異なる部分及び前記第３静止画の前記異なる部分に対応して前記第２静止画及び前記第３静止画を分割する切り込みを有することを特徴とする。
【００１３】
また、本発明による請求項７に記載の書籍は、第１静止画が第１面に印刷された第１シートと、第２静止画が第１面、第３静止画が第２面にそれぞれ印刷された第２シートと、第４静止画が第１面、第５静止画が第２面にそれぞれ印刷された第３シートと、第６静止画が第２面に印刷された第４シートと、を有する書籍であって、前記第１静止画と前記第２静止画と前記第４静止画とは、大きさ及び姿勢が互いに共通する同一の対象を含み、かつ、前記第２静止画の前記対象及び前記第４静止画の前記対象、前記第１静止画の前記対象と異なる部分をそれぞれ有し、前記第３静止画と前記第５静止画と前記第６静止画とは、大きさ及び姿勢が互いに共通する同一の対象を含み、かつ、前記第３静止画の前記対象及び前記第５静止画の前記対象は、前記第６静止画の前記対象と異なる部分をそれぞれ有し、前記第１シート、前記第２シート、前記第３シート、及び前記第４シートは、前記第１シートの前記第１面側に前記第２シートの第２面が配され、前記第２シートの前記第１面側に前記第３シートの第２面が配され、前記第３シートの前記第１面側に前記第４シートの第２面が配されて、前記第１静止画の前記対象の位置と、前記第２静止画の前記対象の位置と、前記第４静止画の前記対象の位置とが一致し、かつ、前記第３静止画の前記対象の位置と、前記第５静止画の前記対象の位置と、前記第６静止画の前記対象の位置とが一致するように綴じられており、前記第２シートには、前記第２静止画の前記異なる部分及び前記第４静止画の前記異なる部分に対応して、前記第２静止画及び前記第３静止画を分割する位置が示されていること、前記第３シートには、前記第２静止画及び前記第３静止画を分割する前記位置と同じ位置に、前記第４静止画の前記異なる部分及び前記第５静止画の前記異なる部分に対応して、前記第４静止画及び前記第５静止画を分割する位置が示されていること、又は、前記第４静止画及び前記第５静止画を分割する切り込みを有することを特徴とする。
【００１４】
また、本発明による請求項８に記載の書籍は、第１静止画が第１面、第３静止画が第２面にそれぞれ印刷された第１シートと、第２静止画が第１面に印刷された第２シートと、第４静止画が第２面に印刷された第３シートと、を有する書籍であって、前記第１静止画及び前記第２静止画は、大きさ及び姿勢が互いに共通する同一の対象を含み、かつ、前記第２静止画の前記対象は、前記第１静止画の前記対象と異なる部分を有し、前記第３静止画及び前記第４静止画は、大きさ及び姿勢が互いに共通する同一の対象を含み、かつ、前記第４静止画の前記対象は、前記第３静止画の前記対象と異なる部分を有し、前記第１シート、前記第２シート、及び前記第３シートは、前記第１シートの前記第１面側に前記第２シートの第２面が配され、前記第１シートの前記第２面側に前記第３シートの第１面が配されて、前記第１静止画の前記対象の位置と前記第２静止画の前記対象の位置とが一致し、かつ、前記第３静止画の前記対象の位置と前記第４静止画の前記対象の位置が一致するように綴じられており、前記第２シートには、前記第２静止画の前記異なる部分に対応して、前記第２静止画を分割する位置の表示、又は、前記第２静止画を分割する切り込みが設けられおり、前記第３シートには、前記第４静止画の前記異なる部分に対応して、前記第４静止画を分割する位置の表示、又は、前記第４静止画を分割する切り込みが設けられおり、前記第２シートに設けられた前記位置の表示又は前記切り込みとは別の位置に、前記第３シートの前記位置の表示又は前記切り込みが設けられていることを特徴とする。
【発明の効果】
【００１５】
本発明によれば、少なくとも第２静止画を分割する位置に沿って分割（切断）すれば、第１静止画の一部を見ながら、第２静止画の一部を見ることができ、しかも、第１静止画の一部と第２静止画の一部とが一つの静止画として整合する。そのため、第１静止画と第２静止画のみならず、これらの中間形態の静止画をも観賞することができ、興趣性を向上させた書籍を提供することができる。また、静止画を分割するための位置を示しておけば、ユーザはそれに従って分割すればよく、利便性も良い。
【図面の簡単な説明】
【００１６】
【図１】本発明の第１実施形態に係る書籍の分解斜視図である。
【図２】本発明の第１実施形態に係る書籍の第４シートをめくった状態の図である。
【図３】本発明の第１実施形態に係る書籍の第１状態を示す図である。
【図４】本発明の第１実施形態に係る書籍の第２状態を示す図である。
【図５】本発明の第１実施形態に係る書籍の第３状態を示す図である。
【図６】本発明の第１実施形態に係る書籍の第４状態を示す図である。
【図７】本発明の第１実施形態に係る書籍の第５状態を示す図である。
【図８】本発明の第２実施形態に係る書籍の分解斜視図である。
【図９】本発明の第３実施形態に係る書籍の構成例を示す図である。
【発明を実施するための形態】
【００１７】
（第１実施形態）
本発明に係る書籍の第１実施形態について、図面を参照して説明する。図１は、本発明の第１実施形態に係る書籍１の分解斜視図、図２は、本発明の第１実施形態に係る書籍１の第４シートをめくった状態の図、図３乃至図７は、書籍１の状態の変化を示す図である。
【００１８】
図１に示すように、書籍１は、一例として、第１シート１０、第２シート２０、第３シート３０、第４シート４０を有する。第１シート１０、第２シート２０、第３シート３０、第４シート４０は、同じ形状及び大きさとするのが好適であり、また材質は、静止画を印刷することが可能で、綴じることが可能な材質であれば、紙、布、ビニール、プラスティック等、特に限定されない。
【００１９】
図１に示すように、第１シート１０の第１面１０ａには、第１静止画１６が印刷されている。本発明において、印刷される静止画としては、例えば写真、漫画、絵画など印刷できるものであれば特に限定されない。また、人物の写真に限定されるものではなく、人物以外の生物や建物などを被写体（対象）とした写真でもよいし、漫画の場合には、その漫画に登場するキャラクターを対象としてもよい。以下では、被写体Ｉ又はＩＩ（対象）を人物の全身とする内容の写真を、一例として説明する。なお、後述の第２静止画２６乃至第６静止画４８、第２静止画５６乃至第４静止画６８（図８参照）も同様である。第１シート１０に印刷された被写体Ｉは、第１シート１０においてほぼ中央に全身が収まる大きさで表されており、姿勢は直立で、着衣状態は上半身及び下半身ともに水着姿であり、右手にスイカを抱えている。なお、第１シート１０の第２面（第１面１０ａの裏面）は、書籍１の表紙又は裏表紙となる部分である。
【００２０】
第２シート２０の第１面２０ａには、第２静止画２６が印刷されている。第２静止画２６の被写体Ｉは、第１静止画１６と同一の対象、即ち同一人物である。第２静止画２６の被写体Ｉは、第２シート２０においてほぼ中央に全身が収まる大きさで表されており、姿勢は直立で、着衣状態は上半身がＴシャツ姿、下半身がショートパンツ姿でショートブーツを履いており、右手にボールを抱えている。
【００２１】
第３シート３０の第１面３０ａには、第４静止画３６が印刷されている。第４静止画３６の被写体Ｉは、第１静止画１６及び第２静止画２６と同一の対象、即ち同一人物である。第４静止画３６の被写体Ｉは、第３シート３０においてほぼ中央に全身が収まる大きさで表されており、姿勢は直立で、着衣状態は上半身がジャケット姿でロング手袋を着用し、下半身がミニスカート姿でロングブーツを履いており、右手にヘルメットを抱えている。
【００２２】
このように、第１静止画１６と第２静止画２６と第４静止画３６は、それぞれ大きさと姿勢が共通している被写体Ｉを含んでいる。これにより、第１シート１０、第２シート２０、第３シート３０、第４シート４０は、第１シート１０の第１面１０ａ側に第２シート２０の第２面２０ｂが配され、第２シート２０の第１面２０ａ側に第３シート３０の第２面３０ｂが配されると、第１静止画１６の被写体Ｉの第１シート１０における位置と、第２静止画２６の被写体Ｉの第２シート２０における位置と、第４静止画３６の被写体Ｉの第３シート３０における位置とが一致するように綴じることができるようになっている。従って、第１シート１０に印刷された第１静止画１６と、第２シート２０に印刷された第２静止画２６と、第３シート３０に印刷された第４静止画３６の各被写体Ｉは、互いに体の線が重なって略一致するようになっている。
【００２３】
また、第２静止画２６の被写体Ｉは、上半身の着衣状態及び下半身の着衣状態という点において、第１静止画１６の被写体Ｉとの異なる部分を有している。同様に、第４静止画３６の被写体Ｉは、上半身の着衣状態及び下半身の着衣状態という点において、第１静止画１６や第２静止画２６の被写体Ｉとの異なる部分を有している。なお、上記の例では、被写体Ｉの上半身の着衣状態及び下半身の着衣状態がともに異なる場合を説明したが、着衣状態又は下半身の着衣状態のいずれか一方だけが異なるようにしてもよい。
【００２４】
第２シート２０には、被写体Ｉの人物の腰の位置に沿って、第２静止画２６の被写体Ｉの人物の上半身と下半身とで分割する位置を示すために、例えばミシン線２１が設けられている。これは、第２静止画２６の被写体Ｉは、第１静止画１６の被写体Ｉと比較して、少なくとも上半身の着衣状態（又は下半身の着衣状態）において異なる部分があり、この異なる部分に対応して、ミシン線２１が設けられている。同様に、第３シート３０には、被写体Ｉの人物の腰の位置に沿って、第４静止画３６の被写体Ｉの人物の上半身と下半身とで分割する位置を示すために、ミシン線３１が設けられている。なお、分割する位置を示すものとしては、ハサミやナイフを用いることなく、素手で容易に分割することができるため、上記の通りミシン線とするのが好適であるが、分割すべき基準が理解できればよいので、線やマークを印刷するだけでもよく、特に限定されるものではない。
【００２５】
また、図１に示すように、第４シート４０の第２面４０ｂには、第６静止画４８が印刷されている。第４シート４０に印刷された被写体ＩＩは、第４シート４０において中央に、ほぼ全身が収まる大きさで表されており、姿勢は両腕を挙げ左脚を前に出した状態で立っており、着衣状態は上半身及び下半身ともに水着姿である。なお、第４シート４０の第１面４０ａは、書籍１の表紙又は裏表紙となる部分である。
【００２６】
第３シート３０の第２面３０ｂには、第５静止画３８が印刷されている。第５静止画３８の被写体ＩＩは、第６静止画４８と同一の対象、即ち同一人物である。第５静止画３８の被写体ＩＩは、第３シート３０において中央に、ほぼ全身が収まる大きさで表されており、姿勢は両腕を挙げ左脚を前に出した状態で立っており、着衣状態は、上半身が半袖シャツ姿で頭髪にカチューシャを着用し、下半身がミニスカート姿でハイヒールを履いている。
【００２７】
第２シート２０の第２面２０ｂには、第３静止画２８が印刷されている。第３静止画２８の被写体ＩＩは、第５静止画３８及び第６静止画４８と同一の対象、即ち同一人物である。第３静止画２８の被写体ＩＩは、第２シート２０において中央に、ほぼ全身が収まる大きさで表されており、姿勢は両腕を挙げ左脚を前に出した状態で立っており、着衣状態は上半身が別の半袖シャツ姿で、左手でメガネを着用し、下半身がスカート姿で飾り付きの靴を履いている。
【００２８】
このように、第３静止画２８と第５静止画３８と第６静止画４８は、それぞれ大きさと姿勢が共通している被写体ＩＩを含んでいる。これにより、第１シート１０、第２シート２０、第３シート３０、第４シート４０は、第２シート２０の第１面２０ａ側に第３シート３０の第２面３０ｂが配され、第３シート３０の第１面３０ａ側に第４シート４０の第２面４０ｂが配されると、第３静止画２８の被写体ＩＩの第２シート２０における位置と、第５静止画３８の被写体ＩＩの第３シート３０における位置と、第６静止画４８の被写体ＩＩの第４シート４０における位置とが一致するように綴じることができるようになっている。従って、第２シート２０に印刷された第３静止画２８と、第３シート３０に印刷された第５静止画３８と、第４シート４０に印刷された第６静止画４８の各被写体ＩＩは、互いに体の線が重なって略一致するようになっている。
【００２９】
また、第５静止画３８の被写体ＩＩは、上半身の着衣状態及び下半身の着衣状態という点において、第６静止画４８の被写体ＩＩとの異なる部分を有している。同様に、第３静止画２８の被写体ＩＩは、上半身の着衣状態及び下半身の着衣状態という点において、第５静止画３８や第６静止画４８の被写体ＩＩとの異なる部分を有している。
【００３０】
第３シート３０に設けたミシン線３１は、被写体Ｉの人物の腰の位置であると同時に、被写体ＩＩの人物の腰の位置に沿って、第５静止画３８の被写体ＩＩの人物の上半身と下半身とで分割する位置を示している。同様に、第２シート２０に設けたミシン線２１は、被写体Ｉの人物の腰の位置であると同時に、被写体ＩＩの人物の腰の位置に沿って、第３静止画２８の被写体ＩＩの人物の上半身と下半身とで分割する位置を示している。
【００３１】
上記の第１シート１０、第２シート２０、第３シート３０、第４シート４０を綴じる位置は、例えば、被写体Ｉに対して右側又は左側でもよいが、本実施形態では左側で綴じるものとして説明する。これにより、第１静止画１６の被写体Ｉの第１シート１０における位置と、第２静止画２６の被写体Ｉの第２シート２０における位置と、第４静止画３６の被写体Ｉの第３シート３０における位置とが一致し、かつ、第３静止画２８の被写体ＩＩの第２シート２０における位置と、第５静止画３８の被写体ＩＩの第３シート３０における位置と、第６静止画４８の被写体４８の第４シート４０における位置とが一致するようになる。図１に示すように、書籍１は、第１シート１０、第２シート２０、第３シート３０、第４シート４０の順番で重ね合わせ、綴じ部８０（図２参照）において、接着剤、テープ、留め金などで固定し、冊子状に製本する。製本された書籍１は、綴じ部８０を中心として矢印Ａ方向又は矢印Ｂ方向（図２に示す）に、第１シート１０、第２シート２０、第３シート３０、第４シート４０のそれぞれをめくることができる。製本された書籍１を見開いた場合に、例えば、右側の各ページには常に被写体Ｉの静止画（第１静止画１６、第２静止画２６、第４静止画３６）、左側の各ページには常に被写体ＩＩの静止画（第３静止画２８、第５静止画３８、第６静止画４８）が配されるように製本する。
【００３２】
上記では、第１静止画１６乃至第６静止画４８は、被写体Ｉ又は被写体ＩＩの人物の起立状態の全身を収めた写真として説明したが、座っている状態や、寝そべっている状態、更には全身以外にも、例えば、上半身だけを収めた写真や、首から上の頭部を収めた写真としてもよく、大きさ及び姿勢が互いに供する同一の被写体（対象）であれば、特に限定されるものではない。また、被写体Ｉと被写体ＩＩとは同一人物であってもよいし、別人物であってもよく、男性の被写体でもよいことは言うまでもない。
【００３３】
また、被写体（対象）である人物の上半身を収めた写真の場合、静止画同士の異なる部分としては、被写体の上半身に着用している着衣の状態や、被写体の髪型、顔の表情、腕や手のポーズ、アクセサリー（例えば、リボン、メガネ、イヤリング、ピアス、ネックレスなど）の着用状態（着用の有無又は種類）などとすることもでき、ミシン線を設ける位置は、例えば前記人物のあごの下（首）の位置に沿って設ければよい。
【００３４】
また、被写体（対象）である人物の頭部を収めた写真の場合、静止画同士の異なる部分としては、被写体の髪型、口や目の表情、被写体の頭髪や耳へのアクセサリーの着用状態（着用の有無又は種類）などとすることができ、ミシン線を設ける位置は、例えば前記人物の口と目の間の位置、すなわち鼻に沿って設ければよい。
【００３５】
なお、ミシン線の数は、シート１枚につき単数ラインに限られず、複数ラインでも良い。ミシン目の位置及び方向は、綴じ部８０（図２参照）側から小口方向にかけて、天又は地に平行して設けるほか、天又は地に対して斜め方向でもよく、直線又は曲線を適宜採択できる。
【００３６】
以下に、第１実施形態の使用方法について、図２乃至図７を参照して説明する。
【００３７】
図２は、製本後の書籍１であって、第４シート４０をめくったときの見開きの状態を示している。この状態において、第３シート３０に設けられているミシン線３１に沿って分割し、切り込み３２をいれる。図３に示すように、第３シート３０は、切り込み３２によって分割第３シート３１０と分割第３シート３２０とに分割され、これにより、第４静止画３６は、分割第３シート３１０の第１面３１０ａに印刷された分割第４静止画３６１と、分割第３シート３２０の第１面３２０ａに印刷された分割第４静止画３６２とに分割されることになる。本実施形態においては、分割第４静止画３６１は、被写体Ｉの上半身に相当する静止画であり、分割第４静止画３６２は、被写体Ｉの下半身に相当する静止画となる。
【００３８】
第３シート３０の前記分割に伴って、切り込み３２によって第３シート３０の第２面３０ｂに印刷されている第５静止画３８も分割される。すなわち、第５静止画３８は、図５に示すように、分割第３シート３１０の第２面３１０ｂに印刷された分割第５静止画３８１と、分割第３シート３２０の第２面３２０ｂに印刷された分割第５静止画３８２とに分割されることになる。本実施形態においては、分割第５静止画３８１は、被写体ＩＩの上半身に相当する静止画であり、分割第５静止画３８２は、被写体ＩＩの下半身に相当する静止画となる。
【００３９】
以上のようにして、分割第３シート３１０及び分割第３シート３２０の２枚に分割することにより、それぞれが独立して綴じ部８０を中心に、矢印Ａ方向又は矢印Ｂ方向にめくることが可能となる。例えば、分割第３シート３１０を矢印Ａ方向にめくり、分割第３シート３２０はそのままの状態を維持することが可能である。
【００４０】
同様にして、分割第２シートについても、そのミシン線２１（図１参照）に沿って分割し、切り込み２２をいれる（図５及び図７参照）。
【００４１】
第２シート２０のミシン線２１及び第３シートのミシン線３１に沿って、第２シート２０及び第３シート３０を分割した後、以下のようにして書籍１を観賞する。
【００４２】
図３は、書籍１の第２シート２０のミシン線２１及び第３シートのミシン線３１に沿って、第２シート２０及び第３シート３０を分割した状態で、第４シート４０をめくったときの見開きの状態（第１状態）を示す図である。
【００４３】
図３の綴じ部８０より右側（右ページ部分）は、分割第３シート３１０の第１面３１０ａに分割第４静止画３６１、分割第３シート３２０の第１面３２０ａに分割第４静止画３６２がそれぞれ印刷されており、これらはもともと一つの静止画（第４静止画３６）であることから、第４静止画３６の被写体Ｉを第４静止画３６の状態（第１状態）で、整合性よく観賞することができる。
【００４４】
図３の状態から、例えば分割第３シート３１０だけを矢印Ａ方向にめくると、図４の状態（第２状態）となる。図４に示すように、分割第３シート３１０がめくられたことにより、すぐ下側に配置されている分割第２シート２１０が最上面となる一方、分割第３シート３２０はめくられていないので、そのまま最上面となっている。
図４の綴じ部８０より右側（右ページ部分）は、分割第２シート２１０の第１面２１０ａに分割第２静止画２６１、分割第３シート３２０の第１面３２０ａに分割第４静止画３６２がそれぞれ印刷されており、これらはもともと別の静止画（第４静止画３６、第２静止画２６）ではあるが、第４静止画３６と第２静止画２６との中間状態（第２状態）として、全体的に整合性がよい状態で観賞することができる。
前記のように、第４静止画３６の被写体Ｉは、第２静止画２６と同一の人物（対象）であり、しかも、第４静止画３６の被写体Ｉは、第２静止画２６の被写体Ｉと同じ大きさ及び姿勢をとっているので、第２静止画２６、第４静止画３６の各被写体Ｉは、互いに体の線が略一致し、上半身は第２静止画２６の状態（分割第２静止画２６１）、下半身は第４静止画３６の状態（分割第４静止画３６２）で、整合性よく観賞することができる。すなわち、分割第２静止画２６１と分割第４静止画３６２は、被写体Ｉの腰で接続するようになっており、上下を継ぎ合わせてみれば、整合性のある静止画として観賞できる構図になっている。
本実施形態では、着衣状態がＴシャツ姿で右手にボールを抱える上半身と、着衣状態がミニスカート姿でロングブーツを履く下半身とでなる被写体Ｉを観賞することができる。
【００４５】
なお、上記とは反対に、図３の状態から分割第３シート３２０だけを矢印Ａ方向にめくった場合については特に図示しないが、上半身は第４静止画３６の状態（分割第４静止画３６１）、下半身は第２静止画２６の状態（分割第２静止画２６２）で、整合性よく観賞することができる。本実施形態では、着衣状態がジャケット姿でロング手袋を着用した上半身と、着衣状態がショートパンツ姿でショートブーツを履く下半身とでなる被写体Ｉを観賞することができる。
【００４６】
図４の状態から、例えば分割第３シート３２０だけを矢印Ａ方向にめくると、図５の状態（第３状態）となる。図５に示すように、分割第３シート３２０がめくられたことにより、すぐ下側に配置されている分割第２シート２２０が最上面となる一方、分割第２シート２１０はめくられていないので、そのまま最上面となっている。
図５の綴じ部８０より右側（右ページ部分）は、分割第２シート２１０の第１面２１０ａに分割第２静止画２６１、分割第２シート２２０の第１面２２０ａに分割第２静止画２６２がそれぞれ印刷されており、これらはもともと一つの静止画（第２静止画２６）であることから、第２静止画２６の被写体Ｉを第２静止画２６の状態（第３状態）で、整合性よく観賞することができる。
【００４７】
図５の状態から、例えば分割第２シート２１０だけを矢印Ａ方向にめくると、図６の状態（第４状態）となる。図６に示すように、分割第２シート２１０がめくられたことにより、すぐ下側に配置されている第１シート１０の上側部分は最上面となる一方、分割第２シート２２０はめくられていないので、第１シート１０の下側部分に重なってそのまま最上面となっている。
図５の綴じ部８０より右側（右ページ部分）は、第１シート１０の第１面１０ａに印刷された第１静止画１６の上側部分と、分割第２シート２２０の第１面２２０ａに印刷された分割第２静止画２６２とがあらわれ、これらはもともと別の静止画（第１静止画１６、第２静止画２６）ではあるが、第２静止画２６と第１静止画１６との中間状態（第４状態）として、全体的に整合性がよい状態で観賞することができる。
前記のように、第２静止画２６の被写体Ｉは、第１静止画１６と同一の人物（対象）であり、しかも、第２静止画２６の被写体Ｉは、第１静止画１６の被写体Ｉと同じ大きさ及び姿勢をとっているので、第１静止画１６、第２静止画２６の各被写体Ｉは、互いに体の線が略一致し、上半身は第１静止画１６の状態、下半身は第２静止画２６の状態（分割第２静止画２６２）で、整合性よく観賞することができる。すなわち、第１静止画１６の上側部分と分割第２静止画２６２は、被写体Ｉの腰で接続するようになっており、上下を継ぎ合わせてみれば、整合性のある静止画として観賞できる構図になっている。
本実施形態では、着衣状態が水着姿で右手にスイカを抱える上半身と、着衣状態がショートパンツ姿でショートブーツを履く下半身とでなる被写体Ｉを観賞することができる。
【００４８】
なお、上記とは反対に、図５の状態から分割第２シート２２０だけを矢印Ａ方向にめくった場合については特に図示しないが、上半身は第２静止画２６の状態（分割第２静止画２６１）、下半身は第１静止画１６の状態で、整合性よく観賞することができる。本実施形態では、着衣状態がＴシャツ姿で右手にボールを抱える上半身と、着衣状態が水着姿の下半身とでなる被写体Ｉを観賞することができる。
【００４９】
図６の状態から、分割第２シート２２０を矢印Ａ方向にめくると、図７の状態（第５状態）となる。図７に示すように、分割第２シート２２０がめくられたことにより、すぐ下側に配置されている第１シート１０の全面が最上面となる。
図７の綴じ部８０より右側（右ページ部分）は、第１シート１０の第１面１０ａに第１静止画１６が印刷されており、第１静止画１６の被写体Ｉをそのまま観賞することができる。
【００５０】
本実施形態では、被写体Ｉの静止画（第１静止画１６、第２静止画２６、第４静止画３６）のほかに、さらに被写体ＩＩの静止画（第３静止画２８、第５静止画３８、第６静止画４８）が印刷されているので、引き続き、以下のようにして観賞することもできる。
【００５１】
図７の綴じ部８０より左側（左ページ部分）は、分割第２シート２１０の第２面２１０ｂに分割第３静止画２８１、分割第２シート２２０の第２面２２０ｂに分割第３静止画２８２がそれぞれ印刷されており、これらはもともと一つの静止画（第３静止画２８）であることから、第３静止画２８の被写体ＩＩを第３静止画２８の状態（第１状態）で、整合性よく観賞することができる。
【００５２】
図７の状態から、例えば分割第２シート２２０だけを矢印Ｂ方向にめくると、図６の状態（第２状態）となる。図６に示すように、分割第２シート２２０がめくられたことにより、すぐ下側に配置されている分割第３シート３２０が最上面となる一方、分割第２シート２１０はめくられていないので、そのまま最上面となっている。
図６の綴じ部８０より左側（左ページ部分）は、分割第２シート２１０の第２面２１０ｂに分割第３静止画２８１、分割第３シート３２０の第２面３２０ｂに分割第５静止画３８２がそれぞれ印刷されており、これらはもともと別の静止画（第３静止画２８、第５静止画３８）ではあるが、第３静止画２８と第５静止画３８との中間状態（第２状態）として、全体的に整合性がよい状態で観賞することができる。
本実施形態では、着衣状態が半袖シャツ姿で左手でメガネを着用した上半身と、着衣状態がミニスカート姿でハイヒールを履く下半身とでなる被写体ＩＩを観賞することができる。
【００５３】
なお、上記とは反対に、図７の状態から分割第２シート２１０だけを矢印Ｂ方向にめくった場合については特に図示しないが、上半身は第５静止画３８の状態（分割第５静止画３８１）、下半身は第３静止画２８の状態（分割第３静止画２８２）で、整合性よく観賞することができる。本実施形態では、着衣状態が半袖シャツ姿で頭髪にカチューシャを着用した上半身と、着衣状態がスカート姿で飾り付きの靴を履く下半身とでなる被写体Ｉを観賞することができる。
【００５４】
図６の状態から、例えば分割第２シート２１０だけを矢印Ｂ方向にめくると、図５の状態（第３状態）となる。図５に示すように、分割第２シート２１０がめくられたことにより、すぐ下側に配置されている分割第３シート３１０が最上面となる一方、分割第３シート３２０はめくられていないので、そのまま最上面となっている。
図５の綴じ部８０より左側（左ページ部分）は、分割第３シート３１０の第２面３１０ｂに分割第５静止画３８１、分割第３シート３２０の第２面３２０ｂに分割第５静止画３８２がそれぞれ印刷されており、これらはもともと一つの静止画（第５静止画３８）であることから、第５静止画３８の被写体ＩＩを第５静止画３８の状態（第３状態）で、整合性よく観賞することができる。
【００５５】
図５の状態から、例えば分割第３シート３２０だけを矢印Ｂ方向にめくると、図４の状態（第４状態）となる。図４に示すように、分割第３シート３２０がめくられたことにより、すぐ下側に配置されている第４シート４０の下側部分は最上面となる一方、分割第３シート３１０はめくられていないので、第４シート４０の上側部分に重なってそのまま最上面となっている。
図４の綴じ部８０より左側（左ページ部分）は、第４シート４０の第２面４０ｂに印刷された第６静止画４８の下側部分と、分割第３シート３１０の第２面３１０ｂに印刷された分割第５静止画３８１とがあらわれ、これらはもともと別の静止画（第５静止画３８、第６静止画４８）ではあるが、第５静止画３８と第６静止画４８との中間状態（第４状態）として、全体的に整合性がよい状態で観賞することができる。
本実施形態では、着衣状態が半袖シャツ姿で頭髪にカチューシャを着用する上半身と、着衣状態が水着姿の下半身とでなる被写体ＩＩを観賞することができる。
【００５６】
なお、上記とは反対に、図５の状態から分割第３シート３１０だけを矢印Ｂ方向にめくった場合については特に図示しないが、上半身は第６静止画４８の状態、下半身は第５静止画３８の状態（分割第５静止画３８２）で、整合性よく観賞することができる。本実施形態では、着衣状態が水着姿の上半身と、着衣状態がミニスカート姿でハイヒールを履く下半身とでなる被写体ＩＩを観賞することができる。
【００５７】
図４の状態から、分割第３シート３１０を矢印Ｂ方向にめくると、図３の状態（第５状態）となる。図４に示すように、分割第３シート３１０がめくられたことにより、すぐ下側に配置されている第４シート４０の全面が最上面となる。
図３の綴じ部８０より左側（左ページ部分）は、第４シート４０の第２面４０ｂに第６静止画４８が印刷されており、第６静止画４８の被写体ＩＩをそのまま観賞することができる。
【００５８】
なお、上記の説明では、綴じ部８０より右側（右ページ部分）の被写体Ｉについて、第１状態（図３）、第２状態（図４）、第３状態（図５）、第４状態（図６）、第５状態（図７）の順に観賞する場合を説明したが、これとは反対に、
第５状態（図７）、第４状態（図６）、第３状態（図５）、第２状態（図４）、第１状態（図３）の順に観賞してもよい。同様に、綴じ部８０より左側（左ページ部分）の被写体ＩＩについて、第１状態（図７）、第２状態（図６）、第３状態（図５）、第４状態（図４）、第５状態（図３）の順に観賞する場合を説明したが、これとは反対に、第５状態（図３）、第４状態（図４）、第３状態（図５）、第２状態（図６）、第１状態（図７）の順に観賞してもよい。
【００５９】
以上のように構成したことにより、以下のような効果を奏することが出来る。
（１）同一の被写体Ｉ（対象）に関する第１静止画１６、第２静止画２６、第４静止画３６という３種類の静止画を観賞するだけでなく、第２静止画２６、第４静止画３６をそれぞれ分割して、適宜組み合わせることができるので、被写体Ｉがあたかも上半身のみ又は下半身を着替えたかのような視覚的効果を得られ、このような中間状態の静止画をも観賞することができ、興趣性が向上する。
【００６０】
（２）被写体Ｉの静止画（第１静止画１６、第２静止画２６、第４静止画３６）のほかに、さらに被写体ＩＩの静止画（第３静止画２８、第５静止画３８、第６静止画４８）が印刷されているので、見開き状態において、綴じ部８０よりも右側（右ページ部分）及び左側（左ページ部分）を同時に、前記のような適宜組み合わせた状態の静止画を２組ずつ観賞することができ、さらに興趣性が向上する。
【００６１】
（３）第２シート２０及び第３シート３０は、第２静止画２６及び第４静止画３６をそれぞれ分割する位置（ミシン線２１、３１）を示しておけばよいので、製造コストも抑えることができ、また前記のような適宜組み合わせて観賞することができる状態とすることも極めて容易であり、さらにミシン線として設けることにより、道具を使うことなく分割することができて作業性が良い。
【００６２】
（４）なお、第２シート２０におけるミシン線２１の位置と、第３シート３０におけるミシン線３１の位置とが同じであるので、これらに沿って分割した場合には、上記のように１枚ずつめくることもでき、かつ、２枚同時にめくることもでき、更に組み合わせのバリエーションが増え、興趣性を向上させることができる。
【００６３】
（第１実施形態の変形例）
第１実施形態の書籍１では、被写体Ｉの静止画（第１静止画１６、第２静止画２６、第４静止画３６）と、被写体ＩＩの静止画（第３静止画２８、第５静止画３８、第６静止画４８）との２組を用いて構成したが、本発明は、少なくとも１組のみを用いて構成すれば良い。
従って、例えば、図１において、少なくとも第１シート１０と第２シート２０と第３シート３０とを綴じた書籍とし、第２シート２０の第２面２０ｂの第３静止画２８及び第３シート３０の第２面３０ｂの第５静止画像３８を印刷せず、被写体Ｉについての第１静止画１６、第２静止画２６、第４静止画３６という３種類の静止画を用いるものとして構成することもできる。
【００６４】
（第２実施形態）
本発明に係る書籍の第２実施形態について、図８を参照して説明する。図８は、本発明の第２実施形態に係る書籍の分解斜視図である。なお、第２実施形態に係る書籍１００において、第１実施形態に係る書籍１と同じ構成及び機能を有するものについては、同じ符号を付してその詳細な説明を割愛する。
【００６５】
第２実施形態の書籍１００が第１実施形態の書籍１と異なるのは、静止画が印刷されたシートの枚数である。第１実施形態の書籍１では、少なくとも、同一の対象（被写体Ｉ）に関する３種類の静止画（第１静止画１６、第２静止画２６、第４静止画３６）が印刷された第１シート１０、第２シート２０、第３シート３０により構成されるものであるが、第２実施形態の書籍１００では、少なくとも、同一の対象（被写体Ｉ）に関する２種類の静止画（第１静止画１６、第２静止画５６）が印刷された第１シート１０及び第２シート５０により構成される。
【００６６】
書籍１００は、第１シート１０、第２シート５０、第３シート６０を有する。第１シート１０は、第１実施形態の書籍１の第１シート１０と同様に構成し、また、第３シート６０は、第１実施形態の書籍１の第４シート４０と同様に構成すればよい。
【００６７】
第２シート５０の第１面５０ａには、第２静止画５６が印刷されている。第２静止画５６の被写体Ｉは、第１静止画１６と同一の対象、即ち同一人物である。第２静止画５６の被写体Ｉは、第２シート５０においてほぼ中央に全身が収まる大きさで表されており、姿勢は直立で、着衣状態は上半身がジャケット姿でロング手袋を着用し、下半身がミニスカート姿でロングブーツを履いており、右手にヘルメットを抱えている。
【００６８】
このように、第１静止画１６及び第２静止画５６は、それぞれ大きさと姿勢が共通している被写体Ｉを含んでいる。これにより、第１シート１０及び第２シート５０は、第１シート１０の第１面１０ａ側に第２シート５０の第２面５０ｂが配されると、第１静止画１６の被写体Ｉの第１シート１０における位置と、第２静止画５６の被写体Ｉの第２シート５０における位置とが一致するように綴じることができるようになっている。従って、第１シート１０に印刷された第１静止画１６、及び、第２シート５０に印刷された第２静止画５６の各被写体Ｉは、互いに体の線が重なって略一致するようになっている。
【００６９】
また、第２静止画５６の被写体Ｉは、上半身の着衣状態及び下半身の着衣状態という点において、第１静止画１６の被写体Ｉとの異なる部分を有している。
【００７０】
第２シート５０には、被写体Ｉの人物の腰の位置に沿って、第２静止画５６の被写体Ｉの人物の上半身と下半身とで分割する位置を示すため、例えばミシン線５１が設けられている。
【００７１】
第２シート５０の第２面５０ｂには、第３静止画５８が印刷されている。第３静止画５８の被写体ＩＩは、第４静止画６８と同一の対象、即ち同一人物である。第３静止画５８の被写体ＩＩは、第２シート５０において中央に、ほぼ全身が収まる大きさで表されており、姿勢は両腕を挙げ左脚を前に出した状態で立っており、着衣状態は上半身が別の半袖シャツ姿で、左手でメガネを着用し、下半身がスカート姿で飾り付きの靴を履いている。
【００７２】
このように、第３静止画５８及び第４静止画６８は、それぞれ大きさと姿勢が共通している被写体ＩＩを含んでいる。これにより、第２シート５０及び第３シート６０は、第２シート５０の第１面２０ａ側に第３シート３０の第２面３０ｂが配されると、第３静止画５８の被写体ＩＩの第２シート５０における位置と、第４静止画６８の被写体ＩＩの第３シート６０における位置とが一致するように綴じることができるようになっている。従って、第２シート５０に印刷された第３静止画５８、及び、第３シート６０に印刷された第４静止画６８の各被写体ＩＩは、互いに体の線が重なって略一致するようになっている。
【００７３】
また、第３静止画５８の被写体ＩＩは、上半身の着衣状態及び下半身の着衣状態という点において、第４静止画６８の被写体ＩＩとの異なる部分を有している。
【００７４】
以上のように構成された書籍１００を使用するときは、第２シート５０に設けられているミシン線５１に沿って分割し、切り込み５２をいれる。第２シート５０は、切り込み５２によって分割第２シート５１０と分割第２シート５２０とに分割可能であり、これにより、第２静止画５６は、分割第２シート５１０の第１面に印刷された分割第２静止画５６１と、分割第２シート５２０の第１面に印刷された分割第２静止画５６２とに分割されることになる。第２シート５０の前記分割に伴って、切り込み５２により、第３静止画５８は、分割第２シート５１０の第２面に印刷された分割第３静止画５８１と、分割第２シート５２０の第２面に印刷された分割第３静止画５８２とに分割されることになる。第２シート５０を分割した後は、実施形態１と同様にして書籍１００を観賞する。
【００７５】
第２実施形態に係る書籍１００によっても、前記効果（１）乃至（３）と同様の効果を奏することができる。
【００７６】
（第２実施形態の変形例）
第２実施形態の書籍１００では、被写体Ｉの静止画（第１静止画１６、第２静止画５６）と、被写体ＩＩの静止画（第３静止画５８、第４静止画６８）との２組を用いて構成したが、少なくとも１組のみを用いて構成すれば良い。
従って、例えば、図８において、少なくとも第１シート１０と第２シート５０とを綴じた書籍とし、第２シート５０の第２面５０ｂの第３静止画５８を印刷せず、被写体Ｉについての第１静止画１６、第２静止画５６という２種類の静止画を用いるものとして構成することもできる。
【００７７】
第１実施形態に係る書籍１は、第１シート１０の第２面（第１面１０ａの反対側の面）や第４シート４０の第１面４０ａは表紙又は裏表紙として構成する例を示したが、これらの面にも、別の第１静止画を印刷して、該第１静止画と大きさ及び姿勢が互いに共通する別の第２静止画を印刷した別の第２シートを重ねて製本される書籍として構成してもよい。
すなわち、第１実施形態に係る書籍１の第１シート１０の第２面（第１面１０ａの反対側の面）側、又は、第４シート４０の第１面４０ａ側に、第１シート１０や第４シート４０を共通にしながら、さらに書籍１の構成が連続的に設けられる構成としてもよい。
この場合に、連続的に追加で設けられる別の第２シートには、前記別の第１静止画と前記別の第２静止画との異なる部分に対応してミシン線を設ければよいが、該ミシン線は、ミシン線２１やミシン線３１とは別の位置に設けられると、書籍全体としての強度が増すため、特に好適である。
なお、前記別の第１静止画と前記別の第２静止画に印刷される被写体は、第１静止画１６や第２静止画２６の被写体Ｉと同一でも異なるものでもよく、また、例えば、上半身のみを被写体とする静止画であってもよい。
【００７８】
第１実施形態に係る書籍１は、同一の対象（被写体Ｉ）に関する３種類の静止画（第１静止画１６、第２静止画２６、第４静止画３６）を用いる例を示し、第２実施形態に係る書籍１００は、同一の対象（被写体Ｉ）に関する２種類の静止画（第１静止画１６、第２静止画５６）を用いる例を示したが、本発明は、特にこれらに限定されず、２種類以上の静止画を用いるように構成すれば良い。
例えば、図１において、第４シート４０の第１面４０ａに、被写体Ｉの静止画であって、第１静止画１６、第２静止画２６、及び第４静止画３６の被写体Ｉと大きさ及び姿勢が共通する４種類目の静止画を印刷し、第４シート４０には、ミシン線２１、３１と同じ位置にミシン線を入れて構成される書籍とすればよい。
【００７９】
第１実施形態に係る書籍１や第２実施形態に係る書籍１００は、ミシン線２１、３１、５１が切り離されていない状態であり、書籍１、１００を観賞する者がミシン線２１、３１、５１を切り離す場合を説明したが、製造段階において、ミシン線２１、３１、５１に相当する位置で予め切り離された状態として書籍１、１００を構成してもよい。
【００８０】
（第３実施形態）
本発明の第３実施形態について、図９を参照して説明する。図９は、本発明の第３実施形態に係る書籍の構成例を示す図である。
第１実施形態に係る書籍１や第２実施形態に係る書籍１００は、それぞれ単独で発行しても良いが、例えば、別の書籍（例えば、雑誌）の付録として、別の書籍と一体的に発行しておき、書籍１や書籍１００を雑誌から分離させることができるように構成しても良い。
図９に示すように、雑誌２００の任意のページに、書籍１（又は書籍１００）が綴じ込まれている。具体的には、図２における書籍１の綴じ部８０の反対側（小口側）の端部が、雑誌２００の綴じ部２８０によって綴じられるようにする。
書籍１の綴じ部８０の反対側（小口側）の端部から所定距離の位置に、雑誌２００から書籍１を分離する位置の表示を設ける。例えば、図９の位置に、書籍１を構成する第１シート１０乃至第４シート４０の総てに設けられたミシン線２０１とすればよい。
なお、分離する位置を示すものとしては、ハサミやナイフを用いることなく、素手で容易に分割することができるため、上記の通りミシン線とするのが好適であるが、分離すべき基準が理解できればよいので、線やマークを印刷するだけでもよく、特に限定されるものではない。
【００８１】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００８２】
１    書籍
１０    第１シート
１０ａ  第１面
１６    第１静止画
２０    第２シート
２０ａ  第１面
２０ｂ  第２面
２１    ミシン線（分割する位置）
２２    切り込み
２６    第２静止画
２８    第３静止画
３０    第３シート
３０ａ  第１面
３０ｂ  第２面
３１    ミシン線（分割する位置）
３２    切り込み
３６    第４静止画
３８    第５静止画
４０    第４シート
４０ａ  第１面
４０ｂ  第２面
４８    第６静止画
５０    第２シート
５０ａ  第１面
５０ｂ  第２面
５１    ミシン線（分割する位置）
５２    切り込み
５６    第２静止画
５８    第３静止画
６０    第３シート
６０ａ  第１面
６０ｂ  第２面
６８    第４静止画
８０    綴じ部
１００    書籍
２００    雑誌
２０１    ミシン線
２１０    分割第２シート
２１０ａ  第１面
２１０ｂ  第２面
２２０    分割第２シート
２２０ａ  第１面
２２０ｂ  第２面
２６１    分割第２静止画
２６２    分割第２静止画
２８０    綴じ部
２８１    分割第３静止画
２８２    分割第３静止画
３１０    分割第３シート
３１０ａ  第１面
３１０ｂ  第２面
３２０    分割第３シート
３２０ａ  第１面
３２０ｂ  第２面
３６１    分割第４静止画
３６２    分割第４静止画
３８１    分割第５静止画
３８２    分割第５静止画
５１０    分割第２シート
５２０    分割第２シート
５６１    分割第２静止画
５６２    分割第２静止画
５８１    分割第３静止画
５８２    分割第３静止画
Ｉ    被写体（対象）
ＩＩ    被写体（対象）
【図１】
2011224898.tif 000003
【図２】
2011224898.tif 000004
【図３】
2011224898.tif 000005
【図４】
2011224898.tif 000006
【図５】
2011224898.tif 000007
【図６】
2011224898.tif 000008
【図７】
2011224898.tif 000009
【図８】
2011224898.tif 000010
【図９】
2011224898.tif 000011